(57)【要約】【課題】印刷用紙の無駄を防止する。【解決手段】印刷装置は、原稿の中から、１箇所以上の所定領域を抽出する有効領域抽出手段と、各々の前記所定領域の大きさを測定し、各々の前記所定領域ごとに、各々の前記所定領域の大きさに応じて用紙のサイズを選択する最適用紙選択手段と、前記選択されたサイズの用紙に、各々の前記所定領域内の情報を印刷する出力手段と、を備える。【選択図】      図１
2013099872.tif 000002
【特許請求の範囲】
【請求項１】
原稿の中から、１箇所以上の所定領域を抽出する有効領域抽出手段と、
各々の前記所定領域の大きさを測定し、各々の前記所定領域ごとに、各々の前記所定領域の大きさに応じて用紙のサイズを選択する最適用紙選択手段と、
前記選択されたサイズの用紙に、各々の前記所定領域内の情報を印刷する出力手段と、
を備える印刷装置。
【請求項２】
前記有効領域抽出手段は、前記原稿の中で濃度が所定値以上の箇所を前記所定領域として抽出する請求項１に記載の印刷装置。
【請求項３】
前記有効領域抽出手段は、前記濃度が所定値以上の箇所が複数箇所存在する場合に、それらの箇所ごとに前記所定領域を抽出し、
前記最適用紙選択手段は、抽出された前記所定領域ごとに前記サイズを選択する請求項２に記載の印刷装置。
【請求項４】
前記最適用紙選択手段は、各々の前記所定領域ごとに、前記所定領域の大きさよりも大きく、かつ、予め指定された用紙のサイズのうち最小のサイズの用紙を選択して前記表示手段に表示するとともに、前記所定領域ごとに選択された前記最小のサイズの用紙を組み合わせて所定のサイズとなる場合には当該サイズの用紙を前記表示手段に表示し、
利用者に、前記表示手段に表示された用紙のサイズの中のいずれかを選択させて、選択されたサイズの用紙に各々の前記所定領域内の情報を印刷させる命令を前記出力手段に送信する装置操作手段をさらに備える
請求項１乃至３のいずれかに記載の印刷装置。
【請求項５】
前記最適用紙選択手段は、選択した前記サイズと、前記原稿のサイズとを比較し、その差分を示す情報を出力する請求項１乃至４のいずれかに記載の印刷装置。
【請求項６】
原稿の中から、１箇所以上の所定領域を抽出する有効領域抽出ステップと、
各々の前記所定領域の大きさを測定し、各々の前記所定領域ごとに、各々の前記所定領域の大きさに応じて用紙のサイズを選択する最適用紙選択ステップと、
前記選択されたサイズの用紙に、各々の前記所定領域内の情報を印刷する出力ステップと、
をコンピュータに実行させる印刷プログラム。
【請求項７】
前記原稿の中で濃度が所定値以上の箇所を前記所定領域として抽出する前記有効領域抽出ステップを前記コンピュータに実行させる請求項６に記載の印刷プログラム。
【請求項８】
前記濃度が所定値以上の箇所が複数箇所存在する場合に、それらの箇所ごとに前記所定領域を抽出する前記有効領域抽出ステップと、
抽出された前記所定領域ごとに前記サイズを選択する前記最適用紙選択ステップとを前記コンピュータに実行させる請求項７に記載の印刷プログラム。
【請求項９】
原稿の中から、１箇所以上の所定領域を抽出し、
各々の前記所定領域の大きさを測定し、各々の前記所定領域ごとに、各々の前記所定領域の大きさに応じて用紙のサイズを選択し、
前記選択されたサイズの用紙に、各々の前記所定領域内の情報を印刷する印刷方法。
【請求項１０】
前記原稿の中で濃度が所定値以上の箇所を前記所定領域として抽出する請求項９に記載の印刷方法。
【発明の詳細な説明】
【技術分野】
【０００１】
本発明は印刷装置、方法、及び、プログラムに関する。
【背景技術】
【０００２】
スキャナ等が読取った原稿の印刷を行なう複合機は、ユーザ等が指定したサイズの用紙に印刷を行なう。ユーザ等は、このような複合機を用いて印刷用紙の削減を図る際に、１枚の用紙に複数ページの原稿をまとめて印刷するという、いわゆる集約印刷という方法を用いている。しかし、集約印刷を行なうと印刷対象が縮小されてしまうため、ユーザ等に印刷対象の判読を難解にさせてしまうこともある。
【０００３】
そこで、印刷用紙の枚数を削減するための様々な技術が提案されている。例えば、特許文献１には、余白パターンに基づいて用紙サイズを決定する方法の一例が記載されている。また、特許文献２には、印刷対象領域を認識して用紙サイズを選択する方法の一例が記載されている。また、特許文献３には、画像を複数枚並べて印刷する際に余白が小さくなるような印刷用紙を選択する方法が記載されている。
【先行技術文献】
【特許文献】
【０００４】
【特許文献１】特開平１１−２８４７９３号公報
【特許文献２】特開２００９−０２７３９６号公報
【特許文献３】特開２００７−０１９７２１号公報
【発明の概要】
【発明が解決しようとする課題】
【０００５】
しかし、上記の文献に記載された方法では、元の原稿に空白部分が多く含まれる場合、小さなサイズの用紙に印刷がされたとしても、なお原稿用紙に対して空白部分の割合が多く含まれうるため、そのような場合には印刷用紙の無駄を防止することができないという課題がある。そこで、本発明は上記課題を解決すべく、印刷用紙の無駄を防止することができる印刷装置、方法、及び、プログラムを提供することを目的とする。
【課題を解決するための手段】
【０００６】
かかる目的を達成するため、本発明の一形態は、印刷装置であって、原稿の中から、１箇所以上の所定領域を抽出する有効領域抽出手段と、各々の前記所定領域の大きさを測定し、各々の前記所定領域ごとに、各々の前記所定領域の大きさに応じて用紙のサイズを選択する最適用紙選択手段と、前記選択されたサイズの用紙に、各々の前記所定領域内の情報を印刷する出力手段と、を備える。
【０００７】
また、本発明は、原稿の中から、１箇所以上の所定領域を抽出する有効領域抽出ステップと、各々の前記所定領域の大きさを測定し、各々の前記所定領域ごとに、各々の前記所定領域の大きさに応じて用紙のサイズを選択する最適用紙選択ステップと、前記選択されたサイズの用紙に、各々の前記所定領域内の情報を印刷する出力ステップと、をコンピュータに実行させる印刷プログラムを提供する。
【０００８】
また、本発明は、原稿の中から、１箇所以上の所定領域を抽出し、各々の前記所定領域の大きさを測定し、各々の前記所定領域ごとに、各々の前記所定領域の大きさに応じて用紙のサイズを選択し、前記選択されたサイズの用紙に、各々の前記所定領域内の情報を印刷する印刷方法を提供する。
【発明の効果】
【０００９】
本発明は、印刷用紙の無駄を防止することができる印刷装置、方法、及び、プログラムを提供する。
【図面の簡単な説明】
【００１０】
【図１】第１の実施形態の機能構成の一例を示す図である。
【図２】第１の実施形態のハードウェア構成の一例を示す図である。
【図３】第１の実施形態の動作の一例を示す図である。
【図４】原稿データの一例を示す図である。
【図５】原稿データの有効領域の一例を示す図である。
【図６】原稿データの有効領域を説明するための図である。
【図７】原稿データの有効領域の一例を示す図である。
【図８】原稿データの有効領域の一例を示す図である。
【図９】印刷の様子の一例を示す図である。
【図１０】用紙の組み合わせの一例を示す図である。
【図１１】用紙の組み合わせの一例を示す図である。
【図１２】第２の実施形態の機能構成の一例を示す図である。
【発明を実施するための形態】
【００１１】
以下、本発明の実施の形態について、図面を用いて説明する。すべての図面において、同様な構成要素には同様の符号を付し、適宜説明を省略する。
【００１２】
なお、各実施形態の装置等を構成する各部は、論理回路等のハードウェアで構成される。また、各部は、コンピュータの制御部、メモリ、メモリにロードされたプログラム、プログラムを格納するハードディスク等の記憶ユニット、ネットワーク接続用インターフェースなどからなり、ハードウェアとソフトウェアの任意の組合せによって実現されてもよい。そして特に断りのない限り、その実現方法、装置は限定されない。
【００１３】
また、制御部はＣＰＵ（Central Processing Unit）などからなり、ＯＳ（Operating system）を動作させて装置等の全体を制御するとともに、例えばドライブ装置などに装着された記録媒体からメモリにプログラムやデータを読み出し、これに従って各種の処理を実行する。記録媒体は、例えば光ディスク、フレキシブルディスク、磁気光ディスク、外付けハードディスク、半導体メモリ等であって、コンピュータプログラムをコンピュータが読み取り可能に記録する。また、コンピュータプログラムは、通信網に接続されている図示しない外部コンピュータからダウンロードされても良い。
【００１４】
＜実施形態１＞
次に、本発明の第１の実施形態について図面を用いて説明する。
【００１５】
図１には、本実施の形態における印刷装置１の機能構成図の一例が示されている。印刷装置１は、制御部１１０、記憶部１５０、装置操作部１３０、入力部１４０、出力部１６０、表示部１７０を含む。
【００１６】
また、制御部１１０は、原稿データ処理部１２０を含み、原稿データ処理部１２０は、有効領域抽出部１２１、最適用紙選択部１２２を含む。また、記憶部１５０は、原稿記憶部１５１、プログラム記憶部１５２、作業記憶部１５３を含む。
【００１７】
装置操作部１３０は、ユーザ等が、印刷装置１に対する各種設定等を指示するための機能を有する。装置操作部１３０は、後述のように例えば操作パネル等から構成され、操作パネル上の各種キー等をユーザ等が押下すること等により印刷装置１に指示が与えられる。
【００１８】
入力部１４０は、ユーザ等によってセットされた原稿の読み込みを行い、原稿データとして取得する機能を有する。
【００１９】
原稿データ処理部１２０は、入力部１４０が取得した原稿データに含まれる文字データや画像データ等を編集する機能を有する。具体的には、原稿データ処理部１２０に含まれる有効領域抽出部１２１、最適用紙選択部１２２が以下の機能を有する。
【００２０】
有効領域抽出部１２１は、入力部１４０が取得した原稿データを記憶部１５０の原稿記憶部１５１に記憶させる。また、有効領域取得部１２１は、原稿データから、後述する有効領域を抽出する。また、有効領域抽出部１２１は、有効領域内の文字データや画像データ等（以下、有効領域データとも言う。）を作業記憶部１５３に記憶させる。
【００２１】
最適用紙選択部１２２は、作業記憶部１５３に記憶されている有効領域データを取得し、その有効領域の大きさに応じて最も余白面積が小さくなるような用紙の種別を選択する機能を有する。最適用紙選択部１２２は、有効領域が複数ある場合には、各々の有効領域ごとに用紙の種別を選択する。また、最適用紙選択部１２２は、用紙の種別とともにその枚数を選択しても良い。最適用紙選択部１２２の詳細な動作については後述する。
【００２２】
記憶部１５０は、動作プログラムや各種データ等を記憶する。具体的には、記憶部１５０に含まれる原稿記憶部１５１は、入力部１４０が取得した原稿データを記憶する。また、プログラム記憶部１５２は、動作プログラムを記憶する。また、作業記憶部１５３は、制御部１１０が生成したデータを記憶する。
【００２３】
表示部１７０は、図９に示すように、最適用紙選択部１２２が選択した用紙の種別やその枚数の組み合わせを表示するディスプレイである。表示部１７０は、装置操作部１３０が備える操作パネル等と一体となっていても良い。
【００２４】
出力部１６０は、最適用紙選択部１２２が選択した用紙の種別とその枚数の組み合わせ（複数存在する場合にはそのいずれかの組み合わせ）で有効領域データを印刷する機能を有する。例えば、ユーザ等が装置操作部１３０を介して用紙の種別とその枚数とからなる組み合わせのいずれかの組み合わせを選択すると、出力部１６０は、選択された組み合わせによって定まる用紙に有効領域データを印刷する。
【００２５】
図２は、本実施の形態における印刷装置１のハードウェア構成図の一例を示している。図２のＣＰＵ２００は、図１の制御部１１０に相当し、ＲＯＭ（Read Only Memory）２０５に記憶されているプログラムを実行することにより、装置全体の動作制御を行なう。
【００２６】
操作パネル２０１は、図１の装置操作部１０３に相当し、例えば、パネル上には各種キー等が表示されている。
【００２７】
スキャナ２０２は、図１の入力部１４０に相当し、原稿を読み込み、読み込んだ原稿上のデータを取得する。
【００２８】
ディスプレイ２０３は、図１の表示部１０７に相当する。ディスプレイ２０３は、操作パネル２０１と一体となっていても良い。
【００２９】
ＨＤＤ（Hard Disk Drive）２０４は、図１の原稿記憶部１５１に相当し、例えば、磁性体を塗布、蒸着した円盤を回転させ、磁気ヘッドを使用して各種データの記憶、読取を行なう。
【００３０】
ＲＯＭ２０５は、図１のプログラム記憶部１５２に相当し、各種プログラムを記憶している。
【００３１】
ＲＡＭ（Random Access Memory）２０６は、図１の作業記憶部１５３に相当し、ＣＰＵ２００の動作により編集された画像データ等を記憶する。
【００３２】
プリンタ２０７は、図１の出力部１６０に相当し、ＣＰＵ２００の動作により生成された画像データ等を用紙に印刷する。
【００３３】
バス２１０は、図２に示した各ハードウェアを結ぶ信号線である。
【００３４】
次に、本実施の形態における印刷装置１の動作について図面を用いて説明する。
【００３５】
図３には、本実施の形態における印刷装置１の動作の例を示すフロー図が示されている。ユーザ等は、印刷装置１の入力部１４０に原稿をセットし、装置操作部１３０を用いて印刷装置１に印刷を行なわせるための指示を入力する。
【００３６】
次に、原稿データ処理部１２０の有効領域抽出部１２１は、入力部１４０にセットされた原稿を読み込み、読み込んだ原稿を原稿データとして記憶部１５０の原稿記憶部１５１に記憶させる（ステップＳ１）。
【００３７】
次に、有効領域抽出部１２１は、原稿データから有効領域を抽出し、有効領域に含まれる文字データや画像データ等（有効領域データ）を記憶部１５０の作業記憶部１５３に記憶させる（ステップＳ２）。
【００３８】
ステップＳ１とステップＳ２について、図４〜図６を用いて説明する。図４は、有効領域抽出部１２１が、入力部１４０にセットされた原稿を読み込んだ原稿データの例を示している。図５は、有効領域抽出部１２１が、原稿データから抽出した有効領域の例を示している。有効領域とは、原稿データの中で文字データや画像データ等の存在する領域である。有効領域抽出部１２１は、有効領域を種々の方法によって求めることができる。
【００３９】
例えば、有効領域抽出部１２１は、原稿データに対してスキャンを行い、文字データや画像データ等が存在する領域を包含する矩形のうち面積が最小の矩形を求めても良い。例えば、有効領域抽出部１２１は、原稿データの左下点を原点とし、水平方向をＸ軸、垂直方向をＹ軸とし、原点からＸ軸またはＹ軸方向へ走査線を走らせる。そして、有効領域抽出部１２１は、Ｘ軸またはＹ軸に平行な走査線上における原稿の濃度を測定し、濃度が所定値以上の箇所（すなわち、文字や画像等が存在する箇所）を含む領域を含む矩形を有効領域として抽出しても良い。なお、有効領域の形は矩形に限られない。
【００４０】
また、有効領域抽出部１２１は、Ｘ軸（またはＹ軸）に平行な走査線上の原稿の濃度が所定値以上の箇所が、Ｘ軸（またはＹ軸）上で所定距離以上離れている場合には、それらの箇所を互いに別の有効領域としても良い。例えば、図６には、横軸をＸ軸、縦軸を原稿上のＹ軸に平行な走査線上の濃度としたグラフが示されている。ここで、図６に示す距離Ｄ１は所定距離以上であり、距離Ｄ２、Ｄ３は所定距離以下であるとする。この場合、有効領域抽出部１２１は、図６の楕円点線で示す２箇所についてそれぞれ別の有効領域として抽出する。例えば、図４に示す原稿データにおいて、左部分に記載されている文字列と、右部分に記載されている文字ＡＢＣとの間が所定距離以上離れている場合、有効領域抽出部１２１は、図５に示すように、原稿データの有効領域を２箇所抽出する。なお、所定距離は、例えば、管理者等によって予め設定されており、その値は入力部１４０に読み込ませた原稿のサイズごとに異なる値であっても良い。
【００４１】
なお、有効領域抽出部１２１が有効領域を抽出する方法はこれに限られない。例えば、有効領域抽出部１２１は、文字や画像の集まり具合を表すクラスタ度を既存の技術により測定し、同一クラスタに属する箇所を１つの有効領域とし、クラスタごとに有効領域を抽出しても良い。また、有効領域抽出部１２１は、同じフォントで記載された文字を同一のグループとして１つの有効領域とし、当該グループごとに有効領域を抽出しても良い。
【００４２】
このようにすることで有効領域抽出部１２１は、原稿データの中でまとまりをもっている箇所をグルーピングすることができ、各グループごとに有効領域を抽出することができる。
【００４３】
次に、最適用紙選択部１２２は、作業記憶部１５３に記憶されている有効領域データを取得し、その有効領域の大きさに応じて、最も余白面積が小さくなるような用紙の種別を選択する（ステップＳ３）。
【００４４】
最適用紙選択部１２２は、例えば、有効領域の大きさと、該有効領域の大きさに対して最も余白面積が小さくなる用紙の種別とを対応付けて記憶する図示しない記憶部を参照し、取得した有効領域データの有効領域の大きさに対応した用紙の種別を選択しても良い。最適用紙選択部１２２は、有効領域が複数存在する場合には、それぞれの有効領域ごとに用紙の種別を選択する。
【００４５】
また、最適用紙選択部１２２は、例えば、有効領域として矩形を取得した場合、矩形の縦幅と横幅を測定し、用紙のサイズが記憶された図示しない記憶部を参照し、取得した矩形を包含する用紙であり、かつ、予め指定された用紙のなかで最も小さいサイズの用紙の種別を１枚選択しても良い。
【００４６】
また、最適用紙選択部１２２は、用紙の種別とともにその枚数を選択しても良い。例えば、最適用紙選択部１２２は、選択した用紙の種別のサイズを更に半分のサイズとした用紙の種別を２枚選択しても良い。例えば、ＡＮ（Ｎは自然数）の用紙はＡ（Ｎ＋１）の用紙２枚分の大きさであるが、Ａ（Ｎ＋１）の用紙を横に２つ並べるとＡＮの用紙となり、縦と横が反転する関係となる。そこで、図９に示すように、例えば、最適用紙選択部１２２が、用紙の種別としてＡ４を１枚選択した場合、Ａ４はＡ５の２枚分の大きさであるから、Ａ４を１枚選択する代わりに、Ａ５を２枚選択し、Ａ４の用紙に印刷されるデータの縦と横を反転させて文書を折り返しながらＡ５用紙２枚に該データを印刷しても良い。なお、Ａ５はＡ６の２枚分であるから、最適用紙選択部１２２は、更にＡ６を４枚選択しても良い。なお、最適用紙選択部１２２は、印刷装置１に備えられている、あるいは、印刷装置１が取り扱い可能な用紙の種別のみを選択しても良い。その場合、例えば、印刷装置１がＡ６の用紙を備えていない場合には、最適用紙選択部１２２はＡ６を選択しなくても良い。なお、当該印刷は印刷されるデータが文書以外の図形等である場合には、上述のように半分のサイズに分割して印刷されると判読が困難となりうるため、最適用紙選択部１２２は、有効領域データが文書の場合にのみ上述の処理を行っても良い。
【００４７】
また、最適用紙選択部１２２は、Ａ（Ｎ＋１）の用紙を２枚選択する代わりに、ＡＮの用紙を１枚選択しても良い。例えば、最適用紙選択部１２２は、Ａ５を３枚とＡ４を１枚選択した場合には、Ａ５の２枚の代わりにＡ４を１枚選択し、Ａ５の２枚に印刷するデータをまとめてＡ４の用紙１枚に印刷しても良い。この場合、最適用紙選択部１２２は、図１１に示すように、用紙の組み合わせを、Ａ５が３枚、Ａ４が１枚とする代わりに、Ａ５が１枚、Ａ４が２枚としても良い。すなわち、最適用紙選択部１２２は、有効領域ごとに選択された用紙のサイズ（例えばＡ５）を組み合わせて所定のサイズ（例えばＡ４）となるか否かを判定し、所定のサイズとなる場合には、当該サイズも選択しても良い。
【００４８】
このように、最適用紙選択部１２２が用紙の組み合わせの増加させることで、ユーザの好みに応じて自由に用紙の組み合わせを選択させることが可能となる。例えば、ユーザは、なるべく同一種別の用紙が多くなるように用紙の組み合わせを選択することが可能となる。
【００４９】
次に、最適用紙選択部１２２は、まだ用紙の種別を選択していない未処理の有効領域データが作業記憶部１５３に存在するか否かを判定する（ステップＳ４）。未処理の有効領域データが存在する場合には、最適用紙選択部１２２は、当該有効領域データについて、ステップＳ３に戻り、用紙の種別を選択する。この処理により、有効領域データが複数存在する場合には、有効領域データごとに用紙の種別が選択される。
【００５０】
例えば、図４の原稿データにおいては、図７と図８に示すように２つの有効領域データが存在する。そこで、最適用紙選択部１２２は、まず、図７に示す有効領域データについて、その有効領域の大きさを測定する。本例では、仮に当該有効領域の大きさが209mm×296mmであるとする。そして、この場合、印刷装置１が取り扱っている用紙の種別の中で最も余白面積が小さくなる用紙の種別はＡ４（210mm×297mm）であるとする。その場合、最適用紙選択部１２２は、Ａ４を１枚選択する。また、Ａ４はＡ５の２枚分であるから、最適用紙選択部１２２は、Ａ５を２枚選択しても良い（ステップＳ３）。
【００５１】
なお、この例では、印刷装置１が取り扱っている用紙の種別の下限がＡ５であるとする。その場合、最適用紙選択部１２２は、Ａ５の更に半分のサイズのＡ６については選択しない。
【００５２】
次に、最適用紙選択部１２２は、未処理の有効領域データとして、図８に示す有効領域データが存在していることから（ステップＳ４）、当該有効領域データについて、その有効領域の大きさを測定する。
【００５３】
本例では、仮に有効領域の大きさが140mm×200mmであるとする。そして、この場合、印刷装置１が取り扱っている用紙の種別の中で最も余白面積が小さくなる用紙の種別はＡ５（148mm×210mm）であるとする。その場合、最適用紙選択部１２２は、Ａ５を１枚選択する。
【００５４】
一方、未処理の有効領域データが存在しない場合には、最適用紙選択部１２２は、図９に示すように、選択した用紙の種別とその枚数を表示部１７０に表示する。ユーザ等は、表示部１７０に表示された用紙の種別とその枚数の組み合わせの中から１つを選択する。出力部１６０は、有効領域データを、選択された種別の組み合わせの用紙に印刷する（ステップＳ５）。有効領域データが複数存在する場合には、出力部１６０は、有効領域データごとに、最適用紙選択部１２２によって選択された種別の用紙に有効領域データを印刷する。
【００５５】
例えば、装置操作部１３０等を介して、ユーザ等によって図９に示す番号１が選択されたとする。この場合、出力部１６０は、図７に示す有効領域データをＡ４の用紙１枚に印刷し、図８に示す有効領域データをＡ５の用紙１枚に印刷する。
【００５６】
このような構成により、原稿データの中の有効領域に合わせて印刷用紙が選択されるため、印刷の際に印刷用紙の無駄を防止することができる。
【００５７】
また、最適用紙選択部１２２は、表示部１７０に、削減される用紙の量を表示しても良い。例えば、図９には、「Ａ５サイズ１枚分用紙が削減されます」と表示されている。これによって削減効果が可視化され、ユーザ等が用紙の削減量を知ることができる。
【００５８】
最適用紙選択部１２２は、例えば以下のようにして削減される用紙の量を表示部１７０に表示する。
【００５９】
まず、最適用紙選択部１２２は、上述のように有効領域データの有効領域の大きさを測定するが、その際に、原稿記憶部１５１に記憶された原稿データの縦幅と横幅の大きさ（原稿用紙サイズ）も測定する。
【００６０】
次に、最適用紙選択部１２２は、上述のように有効領域データを印刷するために選択した用紙の種別によって定まる用紙のサイズと、原稿用紙サイズとを比較し、その差分を示す情報を表示部１７０に表示する。差分とは、両者の差分の面積に包含される最大の用紙の種別であっても良い。例えば、図４の原稿用紙の種別がＡ３であるとする。最適用紙選択部１２２が選択した用紙はＡ４が１枚とＡ５が１枚、あるいは、Ａ５が３枚であるから、最適用紙選択部１２２は、原稿用紙サイズであるＡ３と比較してＡ５が１枚分削減されていることが分かる。そこで、最適用紙選択部１２２は、例えば図９に示すように、「Ａ５サイズ１枚分用紙が削減されます」と表示する。
【００６１】
本実施の形態によれば、原稿データの中の有効領域に合わせて印刷用紙が選択されるため、印刷の際に、印刷用紙の無駄を防止することができる印刷装置が提供される。
【００６２】
また、削減される用紙の量を表示することにより、印刷用紙の無駄がどれだけ防止されるのかという削減量を可視化することができる印刷装置が提供される。
【００６３】
＜実施形態２＞
次に、本発明の第２の実施の形態について図面を用いて説明する。図１０には、本実施の形態における印刷装置１の機能構成図の一例が示されている。印刷装置１は、有効領域抽出部１２１と、最適用紙選択部１２２と、出力部１６０とを備える。これらの各部の構成、動作は第１の実施の形態で述べた通りである。
【００６４】
すなわち、有効領域抽出部１２１は、文字や図形、画像等を含む原稿の中から、１箇所以上の有効領域を抽出する。
【００６５】
最適用紙選択部１２２は、有効領域抽出部１２１が抽出した各々の有効定領域の大きさを測定し、各々の有効領域ごとに、各々の有効領域の大きさに応じて用紙の種別を選択する。
【００６６】
出力部１６０は、最適用紙選択部１２２によって選択された種別の用紙に、各々の有効領域データを印刷する。
【００６７】
以上の構成によれば、有効領域に合わせて印刷用紙が選択されるため、印刷の際に、印刷用紙の無駄を防止することができる印刷装置が提供される。
【００６８】
以上、実施形態を参照して本願発明を説明したが、本願発明は上記実施形態に限定されるものではない。本願発明の構成や詳細には、本願発明のスコープ内で当業者が理解しうる様々な変更をすることができる。
【符号の説明】
【００６９】
１１０  制御部
１２０  原稿データ処理部
１２１  有効領域抽出部
１２２  最適用紙選択部
１３０  装置操作部
１４０  入力部
１５０  記憶部
１５１  原稿記憶部
１５２  プログラム記憶部
１５３  作業記憶部
１６０  出力部
１７０  表示部
【図１】
2013099872.tif 000003
【図２】
2013099872.tif 000004
【図３】
2013099872.tif 000005
【図４】
2013099872.tif 000006
【図５】
2013099872.tif 000007
【図６】
2013099872.tif 000008
【図７】
2013099872.tif 000009
【図８】
2013099872.tif 000010
【図９】
2013099872.tif 000011
【図１０】
2013099872.tif 000012
【図１１】
2013099872.tif 000013
【図１２】
2013099872.tif 000014